(57)【特許請求の範囲】
【請求項１】
表示面を有する表示部と、
前記表示面における静電容量の変化に基づいて前記表示面へのユーザーの操作を検出する操作検出部と、
前記表示面の外周縁よりも外側の位置から前記表示面の内部側へ延伸した第１位置と前記表示面の外周縁から外側へ退避した第２位置との間で移動可能に設けられ、前記第１位置において前記表示面の一部を覆う被覆部と、
を備える表示入力装置。
【請求項２】
前記被覆部は、前記第１位置及び前記第２位置を通過する第１方向に垂直であって前記表示面に平行な第２方向に沿って移動可能に設けられている請求項１に記載の表示入力装置。
【請求項３】
前記表示面は矩形状であって、
前記第２方向は前記表示面の一辺と平行であって、
前記表示入力装置は、前記表示面の外周において前記第２方向に沿って延設され、前記被覆部を前記第２方向に摺動可能に支持する支持部を更に備える請求項２に記載の表示入力装置。
【請求項４】
前記被覆部の前記第２方向に沿った移動を制限可能な移動制限部を更に備える請求項２又は３に記載の表示入力装置。
【請求項５】
前記被覆部は、リールと、前記リールに巻き取られるシート状部材とを含み、前記シート状部材は、前記リールから引き出されることによって前記第１位置に配置され、前記リールに巻き取られることによって前記第２位置に配置される請求項１〜４のいずれかに記載の表示入力装置。
【請求項６】
前記被覆部の一部又は全部は絶縁体によって形成されている請求項１〜５のいずれかに記載の表示入力装置。
【請求項７】
前記表示面における前記被覆部に覆われた被覆領域を検出する領域検出部を更に備え、
前記操作検出部は、前記被覆領域の外周域を含む予め定められた範囲の操作無効領域ではユーザーの操作を検出しない請求項１〜６のいずれかに記載の表示入力装置。
【請求項８】
前記表示面上に前記操作無効領域を他の領域と識別可能に表示する表示処理部を更に備える請求項７に記載の表示入力装置。
【請求項９】
前記操作無効領域で静電容量の変化が検出された場合にその旨を報知する報知処理部を更に備える請求項７又は８に記載の表示入力装置。
【請求項１０】
請求項１〜９のいずれかに記載の表示入力装置を備える情報処理装置。
【発明の詳細な説明】
【技術分野】
【０００１】
本発明は、表示入力装置、及び表示入力装置を備える情報処理装置に関する。
【背景技術】
【０００２】
プリンターなどの情報処理装置は、表示部の表示面への操作を検出可能なタッチパネルのような操作検出部を備えることがある。例えば、操作検出部は、表示面における静電容量の変化に基づいて、表示面へのユーザーの操作を検出する。
【０００３】
また、表示面上に操作無効領域を設定可能な情報処理装置が従来技術として知られている（特許文献１参照）。この従来技術によれば、ユーザーは操作無効領域に指を置きつつ他の指で表示面を操作することが可能となる。そのため、表示面を操作するユーザーの操作負担が軽減される。
【先行技術文献】
【特許文献】
【０００４】
【特許文献１】国際公開第２０１０／０９００３３号
【発明の概要】
【発明が解決しようとする課題】
【０００５】
しかしながら、上述の従来技術は、表示面の複数カ所への同時操作を検出できない、所謂シングルタッチの操作検出部を備える情報処理装置には適用することができない。
【０００６】
本発明の目的は、表示面の複数カ所への同時操作を検出できない操作検出部を備える場合であっても、表示面を操作するユーザーの操作負担を軽減することが可能な表示入力装置、及び情報処理装置を提供することにある。
【課題を解決するための手段】
【０００７】
本発明の一の局面に係る表示入力装置は、表示部と、操作検出部と、被覆部とを備える。前記表示部は、表示面を有する。前記操作検出部は、前記表示面における静電容量の変化に基づいて前記表示面へのユーザーの操作を検出する。前記被覆部は、前記表示面の内部側へ延伸した第１位置と前記表示面の外周縁から外側へ退避した第２位置との間で移動可能に設けられ、前記第１位置において前記表示面の一部を覆う。
【０００８】
本発明の他の局面に係る情報処理装置は、表示入力装置を備える。前記表示入力装置は、表示部と、操作検出部と、被覆部とを備える。前記表示部は、表示面を有する。前記操作検出部は、前記表示面における静電容量の変化に基づいて前記表示面へのユーザーの操作を検出する。前記被覆部は、前記表示面の内部側へ延伸した第１位置と前記表示面の外周縁から外側へ退避した第２位置との間で移動可能に設けられ、前記第１位置において前記表示面の一部を覆う。
【発明の効果】
【０００９】
本発明によれば、表示面の複数カ所への同時操作を検出できない操作検出部を備える場合であっても、表示面を操作するユーザーの操作負担を軽減することが可能である。
【図面の簡単な説明】
【００１０】
【図１】図１は、本発明の実施形態に係る画像処理装置の構成を示す図である。
【図２】図２は、本発明の実施形態に係る画像処理装置のシステム構成を示すブロック図である。
【図３】図３は、本発明の実施形態に係る画像処理装置の操作表示部の構成を示す図である。
【図４】図４は、本発明の実施形態に係る画像処理装置の操作表示部の構成を示す図である。
【図５】図５は、本発明の実施形態に係る画像処理装置の操作表示部の構成を示す図である。
【図６】図６は、本発明の実施形態に係る画像処理装置の操作表示部の構成を示す図である。
【図７】図７は、本発明の実施形態に係る画像処理装置で実行される操作検出処理の一例を示すフローチャートである。
【図８】図８は、本発明の他の実施形態に係る画像処理装置の操作表示部の構成を示す図である。
【発明を実施するための形態】
【００１１】
以下、添付図面を参照しながら、本発明の実施形態について説明する。なお、以下の実施形態は、本発明を具体化した一例であって、本発明の技術的範囲を限定するものではない。
【００１２】
［画像処理装置１０の概略構成］
まず、図１及び図２を参照しつつ、本発明の実施形態に係る画像処理装置１０の概略構成について説明する。ここで、図１は画像処理装置１０の構成を示す断面模式図である。なお、以下においては、図１における紙面上下方向を画像処理装置１０の上下方向Ｄ１、紙面左右方向を画像処理装置１０の前後方向Ｄ２、紙面奥行方向を画像処理装置１０の左右方向Ｄ３と定義して説明を行う。
【００１３】
画像処理装置１０は、原稿から画像データを読み取るスキャン機能、及び画像データに基づいて画像を形成するプリント機能と共に、ファクシミリ機能、及びコピー機能などの複数の機能を有する複合機である。ここに、画像処理装置１０が、本発明における情報処理装置の一例である。なお、本発明は、スキャナー装置、プリンター装置、ファクシミリ装置、コピー機、パーソナルコンピューター、カーナビゲーション装置などの情報処理装置に適用可能である。
【００１４】
図１及び図２に示されるように、画像処理装置１０は、ＡＤＦ（自動原稿搬送装置）１、画像読取部２、画像形成部３、給紙部４、制御部５、及び操作表示部６を備える。
【００１５】
ＡＤＦ１は、原稿セット部、複数の搬送ローラー、原稿押さえ、及び排紙部を備え、画像読取部２によって読み取られる原稿を搬送する。画像読取部２は、原稿台、光源、複数のミラー、光学レンズ、及びＣＣＤを備え、原稿から画像データを読み取ることが可能である。
【００１６】
画像形成部３は、画像読取部２で読み取られた画像データ又は外部の情報処理装置から入力された画像データに基づいて、電子写真方式でカラー又はモノクロの画像を形成可能である。具体的に、画像形成部３は、Ｃ（シアン）、Ｍ（マゼンタ）、Ｙ（イエロー）、及びＫ（ブラック）に対応する複数の画像形成ユニット、光走査装置、中間転写ベルト、二次転写ローラー、定着装置、及び排紙トレイを備える。給紙部４は、画像形成部３にシートを供給する。画像形成部３では、給紙部４から供給されるシートにカラー又はモノクロの画像が形成されて、画像形成後のシートが前記排紙トレイに排出される。なお、画像形成部３は、インクジェット方式などの他の画像形成方式によって画像を形成するものであってもよい。
【００１７】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。制御部５では、前記ＣＰＵにより前記ＲＯＭに予め記憶された各種の制御プログラムが実行される。これにより、画像処理装置１０が制御部５により統括的に制御される。なお、制御部５は、集積回路（ＡＳＩＣ）などの電子回路で構成されたものであってもよく、画像処理装置１０を統括的に制御するメイン制御部とは別に設けられた制御部であってもよい。
【００１８】
［操作表示部６の構成］
次に、図１〜図６を参照しつつ、操作表示部６の構成について説明する。ここで、図３は操作表示部６の構成を示す平面模式図である。また、図４は図３におけるＩＶ−ＩＶ矢視断面図である。また、図５は被覆部６３が表示面６１１の内部側へ延伸された状態を示す図である。また、図６は、図５におけるＶＩ−ＶＩ矢視断面図である。なお、図４及び図６では、リール６３１の内部に収納されているシート状部材６３２の記載が省略されている。
【００１９】
操作表示部６は、画像処理装置１０におけるユーザーインターフェイスである。図１に示されるように、操作表示部６は、画像処理装置１０の筐体の上部において、画像読取部２より前後方向Ｄ２における前方側に設けられる。
【００２０】
図２〜図４に示されるように、操作表示部６は、表示部６１、タッチセンサー６２、被覆部６３、第１移動検出部６４、及び第２移動検出部６５を備える。また、操作表示部６は、電源キー、及びスタートキーなどのハードキー（不図示）を備える。
【００２１】
表示部６１は、制御部５からの制御指示に応じて各種の情報を表示する。例えば、表示部６１は液晶ディスプレーである。図３及び図４に示されるように、表示部６１は、表示面６１１を有する。表示面６１１には、ユーザーの操作に用いられる操作画面などの各種の画面が表示される。例えば、表示面６１１は矩形状である。
【００２２】
例えば、操作表示部６は、図３に示されるように、表示面６１１が上下方向Ｄ１に垂直であって、表示面６１１の長手方向が左右方向Ｄ３に平行となる姿勢で、画像処理装置１０に設けられる。なお、画像処理装置１０において、操作表示部６が左右方向Ｄ３に平行な回転軸によって回動可能に支持されており、操作表示部６の姿勢が調整可能であってもよい。
【００２３】
表示面６１１の外周は、操作表示部６のフレーム６Ａによって囲まれている。例えば、フレーム６Ａは樹脂により形成される。例えば、図３に示されるように、フレーム６Ａは前後方向Ｄ２における前方側が後方側より前後方向Ｄ２に幅広に形成されている。
【００２４】
タッチセンサー６２は、表示面６１１における静電容量の変化を検出することが可能である。図４に示されるように、タッチセンサー６２は、上下方向Ｄ１における表示面６１１の下側に設けられている。
【００２５】
タッチセンサー６２は、表示面６１１における複数カ所における静電容量の変化を同時に検出することが可能である。即ち、画像処理装置１０は、タッチセンサー６２を用いてユーザーのマルチタッチ操作を検出することが可能である。また、画像処理装置１０は、タッチセンサー６２を用いてユーザーのシングルタッチ操作を検出することも可能である。
【００２６】
ここで、前記マルチタッチ操作は、ユーザーが二本の指を用いて表示面６１１上で行う操作である。例えば、前記マルチタッチ操作には、ピンチアウト操作、及びピンチイン操作が含まれる。前記ピンチアウト操作は、ユーザーが二本の指を表示面６１１に接触させて、それらの指を表示面６１１上で互いに離間する方向に移動させる操作である。また、前記ピンチイン操作は、ユーザーが二本の指を表示面６１１に接触させて、それらの指を表示面６１１上で互いに接近する方向に移動させる操作である。なお、前記ピンチアウト操作及び前記ピンチイン操作は、前記マルチタッチ操作の一例に過ぎない。前記マルチタッチ操作は、前記ピンチアウト操作及び前記ピンチイン操作とは異なる他の操作を含むものであってもよい。
【００２７】
また、前記シングルタッチ操作は、ユーザーが一本の指を用いて表示面６１１上で行う操作である。例えば、前記シングルタッチ操作には、タップ操作、及びスワイプ操作が含まれる。前記タップ操作は、ユーザーが一本の指を表示面６１１に接触させる操作である。また、前記スワイプ操作は、ユーザーが一本の指を表示面６１１に接触させて、その指を表示面６１１上で移動させる操作である。なお、前記タップ操作及び前記スワイプ操作は、前記シングルタッチ操作の一例に過ぎない。前記シングルタッチ操作は、前記タップ操作及び前記スワイプ操作とは異なる他の操作を含むものであってもよい。
【００２８】
例えば、タッチセンサー６２は、表示面６１１の下側にマトリクス状に配置された複数の電極を有する。タッチセンサー６２は、指などの人体が前記電極に接近した際に前記電極に生じる静電容量の変化を検出する。例えば、前記電極には不図示の電源から交流電圧が印加されている。タッチセンサー６２は、人体が前記電極に接近した際に人体と前記電極との間で形成されるコンデンサを介して流れる電流の有無に基づいて、前記電極における静電容量の変化を検出する。そして、タッチセンサー６２は、前記電極各々における静電容量の変化を示す電気信号を出力する。タッチセンサー６２から出力される電気信号は、制御部５によるユーザーの操作の検出に用いられる。
【００２９】
なお、タッチセンサー６２による表示面６１１における静電容量の変化の検出方法は、以上に述べた方法と異なる方法が用いられてもよい。また、タッチセンサー６２は、表示面６１１における一カ所のみの静電容量の変化を検出することが可能であってもよい。この場合、画像処理装置１０は、タッチセンサー６２を用いてユーザーの前記シングルタッチ操作のみを検出することが可能である。
【００３０】
ところで、表示面６１１上に操作無効領域を設定可能な情報処理装置が従来技術として知られている。この従来技術によれば、ユーザーは前記操作無効領域に指を置きつつ他の指で表示面６１１を操作することが可能となる。そのため、表示面６１１を操作するユーザーの操作負担が軽減される。
【００３１】
しかしながら、上述の従来技術では、ユーザーが指を前記操作無効領域に置いた状態で他の指を用いて表示面６１１を操作する場合に、その操作が前記マルチタッチ操作として検出される。そのため、上述の従来技術は、前記シングルタッチ操作のみに対応するタッチセンサー６２を備える情報処理装置には適用することができない。また、タッチセンサー６２を用いた前記マルチタッチ操作の検出処理では、前記シングルタッチ操作の検出処理よりも複雑な計算処理が制御部５において行われることがある。そのため、上述の従来技術が前記マルチタッチ操作に対応するタッチセンサー６２を備える情報処理装置に適用される場合、前記マルチタッチ操作が検出される機会が増加して、制御部５の処理負荷が増大することがある。
【００３２】
これに対し、本発明の実施形態に係る画像処理装置１０では、以下に説明するように、タッチセンサー６２が前記シングルタッチ操作のみに対応する場合であっても、表示面６１１を操作するユーザーの操作負担を軽減することが可能である。また、本発明の実施形態に係る画像処理装置１０では、タッチセンサー６２が前記マルチタッチ操作に対応する場合に、表示面６１１を操作するユーザーの操作負担を軽減すると共に、制御部５の処理負荷を軽減することが可能である。
【００３３】
被覆部６３は、表示面６１１の一部を覆うことが可能である。具体的に、図３及び図４に示されるように、被覆部６３は、リール６３１、及びシート状部材６３２を備える。
【００３４】
リール６３１は、シート状部材６３２を巻き取ることが可能である。例えば、リール６３１は、図３及び図４に示されるように、画像処理装置１０の左右方向Ｄ３に沿って長尺な略円筒形状に形成されている。図４に示されるように、リール６３１は、左右方向Ｄ３に沿って形成された孔部６３１Ａを有する。また、リール６３１は、孔部６３１Ａを中心に回転可能に設けられた円筒形状の巻取部６３１Ｂを有する。巻取部６３１Ｂは、不図示の巻き取りばねを用いて前後方向Ｄ２に沿って延伸されたシート状部材６３２を巻き取ることが可能である。なお、リール６３１は、巻取部６３１Ｂの前記巻き取りばねの付勢力に抗してシート状部材６３２を延伸された状態で固定するロック機構を有していてもよい。
【００３５】
シート状部材６３２は、画像処理装置１０の前後方向Ｄ２に長尺な帯状の部材である。例えば、シート状部材６３２は絶縁体によって形成される。シート状部材６３２の長手方向における一方の端部は、巻取部６３１Ｂの外周面に固定される。また、図３及び図４に示されるように、シート状部材６３２の長手方向における他方の端部には、爪部６３２Ａが設けられている。
【００３６】
例えば、図３に示されるように、シート状部材６３２は、リール６３１に巻き取られた状態において、表示面６１１の外周縁から外側へ退避した第２位置Ｐ２に配置される。また、シート状部材６３２は、ユーザーによってリール６３１から前後方向Ｄ２の後方側へと引き出されることで、図５に示されるように、表示面６１１の内部側へ延伸した第１位置Ｐ１に配置される。これにより、表示面６１１の一部の領域は、表示面６１１の内部側へ前後方向Ｄ２に沿って延伸されたシート状部材６３２によって覆われる。また、ユーザーは、リール６３１からのシート状部材６３２の前後方向Ｄ２に沿った引き出し量を調整することで、シート状部材６３２を表示面６１１の前後方向Ｄ２における任意の位置に配置することが可能である。即ち、被覆部６３において、シート状部材６３２は、第１位置Ｐ１及び第２位置Ｐ２を通過する前後方向Ｄ２に沿って移動可能である。なお、ユーザーは、爪部６３２Ａを用いることで、リール６３１からシート状部材６３２を容易に引き出すことが可能である。また、リール６３１から引き出されたシート状部材６３２は、巻取部６３１Ｂ（図４参照）の前記巻き取りばねによって巻き取られる。ここに、前後方向Ｄ２が、本発明における第１方向の一例である。
【００３７】
図６に示されるように、画像処理装置１０では、ユーザーが親指などの指Ｆをシート状部材６３２に置いた状態で他の指を用いて表示面６１１を操作する場合に、シート状部材６３２に置かれた指Ｆによる表示面６１１における静電容量の変化がシート状部材６３２によって阻害される。なお、シート状部材６３２は、指Ｆが置かれた状態で表示面６１１と接触してもよい。
【００３８】
これにより、画像処理装置１０では、ユーザーが指をシート状部材６３２に置いた状態で他の指を用いて表示面６１１を操作する場合に、その操作が前記シングルタッチ操作として検出される。従って、タッチセンサー６２が前記シングルタッチ操作のみに対応する場合であっても、表示面６１１を操作するユーザーの操作負担を軽減することが可能である。また、タッチセンサー６２が前記マルチタッチ操作に対応する場合に、表示面６１１を操作するユーザーの操作負担を軽減すると共に、制御部５の処理負荷を軽減することが可能である。
【００３９】
ここで、画像処理装置１０では、リール６３１が左右方向Ｄ３に沿って移動可能に設けられている。具体的に、図３に示されるように、フレーム６Ａの前後方向Ｄ２における前方側には、溝部６Ｂが左右方向Ｄ３に沿って形成されている。例えば、図４に示されるように、溝部６Ｂは、リール６３１の底部の形状に沿った曲面状に形成されている。
【００４０】
また、図３及び図４に示されるように、溝部６Ｂには、画像処理装置１０の左右方向Ｄ３に沿って延設された棒状の支持部材６Ｃが設けられている。支持部材６Ｃは、リール６３１を左右方向Ｄ３に沿って摺動可能に支持する。例えば、支持部材６Ｃは、電気抵抗を有する抵抗体により形成される。例えば、支持部材６Ｃはスチールなどの金属により形成される。具体的に、図４に示されるように、リール６３１は、孔部６３１Ａに支持部材６Ｃが挿通されることで、支持部材６Ｃにより左右方向Ｄ３に沿って摺動可能に支持される。これにより、ユーザーは、表示面６１１における左右方向Ｄ３の任意の位置に、シート状部材６３２を配置することが可能である。ここに、左右方向Ｄ３が、本発明における第２方向の一例である。また、支持部材６Ｃが、本発明における支持部の一例である。
【００４１】
また、図４に示されるように、画像処理装置１０では、リール６３１の孔部６３１Ａの周面と支持部材６Ｃの周面との間にブッシュ６３１Ｃが設けられている。ブッシュ６３１Ｃは、リール６３１が左右方向Ｄ３に沿って摺動される際の支持部材６Ｃとの間の摺動抵抗を上昇させる。これにより、リール６３１の左右方向Ｄ３に沿った移動が制限される。従って、シート状部材６３２に置かれた指の移動が規制されて、他の指を用いた操作における操作性が向上する。ここに、ブッシュ６３１Ｃが、本発明における移動制限部の一例である。なお、リール６３１と支持部材６Ｃとの間の摺動抵抗は、リール６３１の移動の制限による操作性の向上とリール６３１の移動のし易さとのバランスを考慮して適宜の値に設定されてよい。また、ブッシュ６３１Ｃは、設定された摺動抵抗を備える適宜の素材によって形成されるものであってよい。
【００４２】
なお、画像処理装置１０において、ブッシュ６３１Ｃに替えて、リール６３１の左右方向Ｄ３に沿った移動を予め定められた間隔ごとに仮止めするラッチ機構が、リール６３１と溝部６Ｂ又は支持部材６Ｃとの間に設けられていてもよい。ここに、前記ラッチ機構が、本発明における移動制限部の他の一例である。
【００４３】
また、画像処理装置１０において、フレーム６Ａに溝部６Ｂが設けられていなくてもよい。例えば、フレーム６Ａが、前後方向Ｄ２の前方側の角部各々から前方に向けて突出する一対の突出部を有しており、支持部材６Ｃが前記突出部各々に支持されていてもよい。
【００４４】
また、画像処理装置１０において、フレーム６Ａに支持部材６Ｃが設けられていなくてもよい。例えば、リール６３１は、溝部６Ｂによって左右方向Ｄ３に沿って摺動可能に支持されていてもよい。ここに、溝部６Ｂが、本発明における支持部の他の一例である。
【００４５】
また、画像処理装置１０において、リール６３１はフレーム６Ａの左右方向Ｄ３における予め定められた位置に固定で配置されていてもよい。また、リール６３１及びシート状部材６３２の左右方向Ｄ３における長さが、表示面６１１の左右方向Ｄ３における長さを超えていてもよい。
【００４６】
第１移動検出部６４は、シート状部材６３２の前後方向Ｄ２における移動量を検出する。例えば、第１移動検出部６４は、シート状部材６３２の第２位置Ｐ２からの移動量を検出する。例えば、図３に示されるように、リール６３１は可変抵抗器６３１Ｄを有する。可変抵抗器６３１Ｄは、巻取部６３１Ｂと接続されており、巻取部６３１Ｂの回転量に応じて抵抗値が変化する。例えば、第１移動検出部６４は、可変抵抗器６３１Ｄの抵抗値に応じた電気信号を出力する電気回路である。
【００４７】
例えば、図４に示されるように、溝部６Ｂの前後方向Ｄ２における前方側の側面には、第１電極６Ｄ及び第２電極６Ｅが設けられている。第１電極６Ｄ及び第２電極６Ｅは、左右方向Ｄ３に沿って長尺状である。また、第１電極６Ｄ及び第２電極６Ｅは、リール６３１に設けられた一対の電極（不図示）と電気的に接続されている。前記一対の電極は、可変抵抗器６３１Ｄ（図３参照）と電気的に接続されている。第１移動検出部６４は、第１電極６Ｄ及び第２電極６Ｅを介して電気的に接続された可変抵抗器６３１Ｄの抵抗値に応じた電気信号を出力する。
【００４８】
第２移動検出部６５は、リール６３１の左右方向Ｄ３における移動量を検出する。例えば、第２移動検出部６５は、リール６３１の、支持部材６Ｃにおける左右方向Ｄ３の左側の端部が配置される第３位置Ｐ３（図３参照）からの移動量を検出する。例えば、第２移動検出部６５は、第３位置Ｐ３からリール６３１における左右方向Ｄ３の左側の端部と支持部材６Ｃとが接触する第４位置Ｐ４（図３参照）までの距離に対応する支持部材６Ｃの抵抗値に応じた電気信号を出力する電気回路である。
【００４９】
例えば、図４に示されるように、溝部６Ｂの前後方向Ｄ２における前方側の側面には、第３電極６Ｆが設けられている。第３電極６Ｆは、左右方向Ｄ３に沿って長尺状である。また、第３電極６Ｆは、リール６３１に設けられた電極（不図示）と電気的に接続されている。前記電極は、第４位置Ｐ４で支持部材６Ｃと電気的に接続されている。また、第２移動検出部６５は、第３位置Ｐ３で支持部材６Ｃと電気的に接続されている。第２移動検出部６５は、第３電極６Ｆを介して電気的に接続された支持部材６Ｃの第３位置Ｐ３から第４位置Ｐ４までの距離に対応する抵抗値に応じた電気信号を出力する。
【００５０】
第１移動検出部６４、及び第２移動検出部６５から出力される電気信号は、制御部５による表示面６１１における被覆部６３に覆われた被覆領域の検出に用いられる。
【００５１】
一方、制御部５の前記ＲＯＭには、前記ＣＰＵに後述の操作検出処理（図７のフローチャート参照）を実行させるための操作検出プログラムが予め記憶されている。なお、前記操作検出プログラムは、ＣＤ、ＤＶＤ、フラッシュメモリーなどのコンピューター読み取り可能な記録媒体に記録されており、前記記録媒体から読み取られて制御部５の前記ＥＥＰＲＯＭ等の記憶部にインストールされるものであってもよい。
【００５２】
そして、制御部５は、図２に示されるように、第１表示処理部５１、領域検出部５２、第２表示処理部５３、操作検出部５４、処理実行部５５、及び報知処理部５６を含む。具体的に、制御部５は、前記ＣＰＵを用いて前記ＲＯＭに記憶されている前記操作検出プログラムを実行する。これにより、制御部５は、第１表示処理部５１、領域検出部５２、第２表示処理部５３、操作検出部５４、処理実行部５５、及び報知処理部５６として機能する。ここに、制御部５及び操作表示部６を備える装置が、本発明における表示入力装置の一例である。
【００５３】
第１表示処理部５１は、表示面６１１にユーザーの操作に用いられる操作画面を表示する。例えば、第１表示処理部５１は、画像処理装置１０の電源が投入された場合、又は画像処理装置１０の動作モードがスリープモードから通常モードに移行した場合に、表示面６１１に前記操作画面を表示させる。例えば、前記操作画面には、複数の操作アイコン及び背景画像が表示される。
【００５４】
領域検出部５２は、表示面６１１における被覆部６３に覆われた被覆領域を検出する。例えば、領域検出部５２は、第１移動検出部６４及び第２移動検出部６５から出力される電気信号に基づいて、前記被覆領域を検出する。
【００５５】
第２表示処理部５３は、表示面６１１上に前記被覆領域の外周域を含む予め定められた範囲の操作無効領域Ｒ１（図５参照）を他の領域と識別可能に表示する。具体的に、第２表示処理部５３は、領域検出部５２によって検出された前記被覆領域に基づいて、操作無効領域Ｒ１を特定する。例えば、操作無効領域Ｒ１は、前記被覆領域の外周域から予め定められた特定距離の範囲内の領域である。なお、操作無効領域Ｒ１は、前記被覆領域を含まない領域であってもよい。また、前記特定距離は、操作表示部６におけるユーザーの操作に応じて任意に設定されてもよい。ここに、第２表示処理部５３が、本発明における表示処理部の一例である。
【００５６】
例えば、第２表示処理部５３は、表示面６１１に前記操作画面が表示されている場合に、特定された操作無効領域Ｒ１の表示を半透明の表示に変更する。なお、第２表示処理部５３は、特定された操作無効領域Ｒ１にぼかし処理又はモザイク処理を実行してもよい。また、第２表示処理部５３は、特定された操作無効領域Ｒ１の表示色を変更してもよい。また、第２表示処理部５３は、特定された操作無効領域Ｒ１に塗りつぶし処理を行ってもよい。また、第２表示処理部５３は、特定された操作無効領域Ｒ１の表示を消灯してもよい。
【００５７】
操作検出部５４は、表示面６１１における静電容量の変化に基づいて、表示面６１１へのユーザーの操作を検出する。具体的に、操作検出部５４は、タッチセンサー６２から出力される電気信号に基づいて、表示面６１１へのユーザーの操作を検出する。
【００５８】
例えば、操作検出部５４は、表示面６１１における静電容量の変化に基づいて、前記ピンチアウト操作、及び前記ピンチイン操作を含む前記マルチタッチ操作を検出する。また、操作検出部５４は、表示面６１１における静電容量の変化に基づいて、前記タップ操作、及び前記スワイプ操作を含む前記シングルタッチ操作を検出する。
【００５９】
また、操作検出部５４は、操作無効領域Ｒ１ではユーザーの操作を検出しない。
【００６０】
処理実行部５５は、操作検出部５４によって検出されたユーザーの操作に応じた処理を実行する。
【００６１】
例えば、処理実行部５５は、前記操作画面に表示される複数の前記操作アイコンのうちのいずれか一つに対する前記タップ操作が検出された場合に、操作された前記操作アイコンに対応する処理を実行する。また、処理実行部５５は、前記操作画面に対する前記スワイプ操作が検出された場合に、表示面６１１に表示される前記操作画面を、表示される前記操作アイコン及び背景画像が異なる他の前記操作画面に変更する処理を実行する。
【００６２】
また、処理実行部５５は、前記操作画面に対する前記ピンチアウト操作が検出された場合に、表示面６１１に表示される前記操作画面に含まれる画像を拡大する処理を実行する。また、処理実行部５５は、前記操作画面に対する前記ピンチイン操作が検出された場合に、表示面６１１に表示される前記操作画面に含まれる画像を縮小する処理を実行する。
【００６３】
なお、操作検出部５４は、領域検出部５２によって検出された操作無効領域Ｒ１においてユーザーの操作を検出してもよい。この場合、処理実行部５５は、操作検出部５４によって検出されたユーザーの操作が操作無効領域Ｒ１において行われたものである場合に、ユーザーの操作に応じた処理を実行しないものであってもよい。
【００６４】
報知処理部５６は、操作無効領域Ｒ１で静電容量の変化が検出された場合にその旨を報知する。具体的に、報知処理部５６は、タッチセンサー６２から出力される電気信号に基づいて、操作無効領域Ｒ１における静電容量の変化を検出する。
【００６５】
例えば、報知処理部５６は、操作無効領域Ｒ１で静電容量の変化が検出された場合に、操作無効領域Ｒ１の表示態様を変更する。例えば、報知処理部５６は、操作無効領域Ｒ１で静電容量の変化が検出された場合に、操作無効領域Ｒ１の表示を点滅させる。
【００６６】
なお、報知処理部５６は、操作無効領域Ｒ１で静電容量の変化が検出された場合に、操作無効領域Ｒ１で操作が検出された旨を示すメッセージを表示面６１１に表示させてもよい。また、報知処理部５６は、操作無効領域Ｒ１で静電容量の変化が検出された場合に、予め設定された警告音を鳴動させてもよい。また、操作表示部６が表示面６１１を振動させる振動部を備える場合、報知処理部５６は、操作無効領域Ｒ１で静電容量の変化が検出された場合に、前記振動部を用いて表示面６１１を振動させてもよい。
【００６７】
［操作検出処理］
以下、図７を参照しつつ、画像処理装置１０において制御部５により実行される操作検出処理の手順の一例について説明する。ここで、ステップＳ１、Ｓ２・・・は、制御部５により実行される処理手順（ステップ）の番号を表している。例えば、前記操作検出処理は、画像処理装置１０の電源が投入された場合、又は前記動作モードが前記スリープモードから前記通常モードに移行した場合に実行される。
【００６８】
＜ステップＳ１＞
まず、ステップＳ１において、制御部５は、表示面６１１にユーザーの操作に用いられる前記操作画面を表示する。ここで、ステップＳ１の処理は、制御部５の第１表示処理部５１により実行される。
【００６９】
＜ステップＳ２＞
ステップＳ２において、制御部５は、表示面６１１の一部が被覆部６３によって覆われたか否かを判断する。例えば、制御部５は、第１移動検出部６４から出力される電気信号に基づいて、シート状部材６３２の第２位置Ｐ２からの移動の有無、即ち表示面６１１の一部が被覆部６３によって覆われたか否かを判断する。
【００７０】
また、以下に述べるステップＳ３及びステップＳ４の処理が実行された後にステップＳ２の処理が実行される場合、制御部５は、ユーザーによって表示面６１１における前記被覆領域の範囲が変更されたか否かを判断する。
【００７１】
ここで、制御部５は、表示面６１１の一部が被覆部６３によって覆われたと判断すると（Ｓ２のＹｅｓ側）、処理をステップＳ３に移行させる。また、表示面６１１の一部が被覆部６３によって覆われていなければ（Ｓ２のＮｏ側）、制御部５は、処理をステップＳ５に移行させる。
【００７２】
＜ステップＳ３＞
ステップＳ３において、制御部５は、表示面６１１における前記被覆領域を検出する。例えば、制御部５は、第１移動検出部６４及び第２移動検出部６５から出力される電気信号に基づいて、前記被覆領域を検出する。ここで、ステップＳ３の処理は、制御部５の領域検出部５２により実行される。
【００７３】
＜ステップＳ４＞
ステップＳ４において、制御部５は、前記操作画面における操作無効領域Ｒ１の表示態様を変更する。具体的に、制御部５は、ステップＳ３で検出された前記被覆領域に基づいて、操作無効領域Ｒ１を特定する。また、制御部５は、特定された操作無効領域Ｒ１の表示を半透明の表示に変更する。ここで、ステップＳ４の処理は、制御部５の第２表示処理部５３により実行される。これにより、ユーザーは表示面６１１における操作無効領域Ｒ１を避けて操作を行うことが可能となり、ユーザーによる操作無効領域Ｒ１への無駄な操作が回避される。
【００７４】
＜ステップＳ５＞
ステップＳ５において、制御部５は、表示面６１１における静電容量が変化したか否かを判断する。具体的に、制御部５は、タッチセンサー６２から出力される電気信号に基づいて、表示面６１１における静電容量が変化したか否かを判断する。
【００７５】
ここで、制御部５は、表示面６１１における静電容量が変化したと判断すると（Ｓ５のＹｅｓ側）、処理をステップＳ６に移行させる。また、表示面６１１における静電容量が変化していなければ（Ｓ５のＮｏ側）、制御部５は、処理をステップＳ９に移行させる。
【００７６】
＜ステップＳ６＞
ステップＳ６において、制御部５は、ステップＳ５で検出された静電容量の変化が操作無効領域Ｒ１におけるものであるか否かを判断する。
【００７７】
ここで、制御部５は、ステップＳ５で検出された静電容量の変化が操作無効領域Ｒ１におけるものであると判断すると（Ｓ６のＹｅｓ側）、処理をステップＳ６１に移行させる。また、ステップＳ５で検出された静電容量の変化が操作無効領域Ｒ１におけるものでなければ（Ｓ６のＮｏ側）、制御部５は、処理をステップＳ７に移行させる。
【００７８】
＜ステップＳ７＞
ステップＳ７において、制御部５は、ステップＳ５で検出された静電容量の変化に基づいて、表示面６１１へのユーザーの操作を検出する。例えば、制御部５は、表示面６１１における静電容量の変化に基づいて、前記マルチタッチ操作、及び前記シングルタッチ操作を検出する。ここで、ステップＳ７の処理は、制御部５の操作検出部５４により実行される。
【００７９】
＜ステップＳ８＞
ステップＳ８において、制御部５は、ステップＳ７で検出されたユーザーの操作に応じた処理を実行する。例えば、制御部５は、前記操作画面に表示される複数の前記操作アイコンのうちのいずれか一つに対する前記タップ操作が検出された場合に、操作された前記操作アイコンに対応する処理を実行する。ここで、ステップＳ８の処理は、制御部５の処理実行部５５により実行される。
【００８０】
一方、前記操作検出処理では、ステップＳ６で静電容量の変化が操作無効領域Ｒ１におけるものであると判断された場合に、ステップＳ７の処理が実行されない。これにより、シート状部材６３２に置かれたユーザーの指と表示面６１１との接触に起因する誤操作の発生が抑制される。
【００８１】
なお、ステップＳ６の処理は、ステップＳ７の処理の実行後に実行されてもよい。この場合、ステップＳ６では、ステップＳ７で検出されたユーザーの操作が操作無効領域Ｒ１で行われたものであるか否かが判断される。
【００８２】
＜ステップＳ６１＞
ステップＳ６１において、制御部５は、操作無効領域Ｒ１で静電容量の変化が検出された旨を報知する。例えば、制御部５は、操作無効領域Ｒ１の表示を点滅させる。ここで、ステップＳ６１の処理は、制御部５の報知処理部５６により実行される。これにより、ユーザーにシート状部材６３２に置かれた指が表示面６１１と接触していることを認識させて、ユーザーによる指をシート状部材６３２に戻す動作を促すことが可能となる。従って、シート状部材６３２に置かれたユーザーの指と表示面６１１との接触に起因する誤操作の発生がより抑制される。また、ユーザーの指と表示面６１１との接触状態が早期に解消されるため、前記マルチタッチ操作の検出処理の実行に起因する制御部５の高負荷状態が早期に解消される。
【００８３】
＜ステップＳ９＞
ステップＳ９において、制御部５は、表示面６１１に表示された前記操作画面の表示を終了するユーザーの操作が行われたか否かを判断する。例えば、制御部５は、画像処理装置１０の電源が遮断された場合、又は操作表示部６において前記通常モードから前記スリープモードへの移行を指示するユーザーの操作が行われた場合に、前記操作画面の表示を終了するユーザーの操作が行われたと判断する。
【００８４】
ここで、制御部５は、前記操作画面の表示を終了するユーザーの操作が行われたと判断すると（Ｓ９のＹｅｓ側）、前記操作検出処理を終了させる。また、前記操作画面の表示を終了するユーザーの操作が行われていなければ（Ｓ９のＮｏ側）、制御部５は、処理をステップＳ２に移行させて、前記操作画面の表示を終了するユーザーの操作が行われるまでの間、ユーザーによる前記被覆領域の範囲の変更、又は表示面６１１における静電容量の変化を待ち受ける。
【００８５】
このように、画像処理装置１０では、操作表示部６に、表示面６１１の一部を覆う被覆部６３が設けられている。これにより、ユーザーは指を被覆部６３に置いた状態で他の指を用いて表示面６１１を操作することが可能である。従って、タッチセンサー６２が前記シングルタッチ操作のみに対応する場合であっても、表示面６１１を操作するユーザーの操作負担を軽減することが可能である。また、タッチセンサー６２が前記マルチタッチ操作に対応する場合に、表示面６１１を操作するユーザーの操作負担を軽減すると共に、制御部５の処理負荷を軽減することが可能である。
【００８６】
なお、画像処理装置１０において、フレーム６Ａにリール６３１が設けられていなくてもよい。例えば、図８に示されるように、フレーム６Ａにシート状部材６３２を収容する収容部６Ｇが設けられていてもよい。この場合、シート状部材６３２が、本発明における被覆部の他の一例である。
【符号の説明】
【００８７】
１    ＡＤＦ
２    画像読取部
３    画像形成部
４    給紙部
５    制御部
６    操作表示部
１０  画像処理装置
５１  第１表示処理部
５２  領域検出部
５３  第２表示処理部
５４  操作検出部
５５  処理実行部
５６  報知処理部
６１  表示部
６１１  表示面
６２  タッチセンサー
６３  被覆部
６３１  リール
６３２  シート状部材
６４  第１移動検出部
６５  第２移動検出部
【図１】
0006418191.tif 000002
【図２】
0006418191.tif 000003
【図３】
0006418191.tif 000004
【図４】
0006418191.tif 000005
【図５】
0006418191.tif 000006
【図６】
0006418191.tif 000007
【図７】
0006418191.tif 000008
【図８】
0006418191.tif 000009